(57)【要約】  【課題】写真フィルムをスキャンして得たデータを一旦保存した場合、保存したデジタル画像データからの焼き増しプリントが、写真フィルムをスキャンして同時プリントしたものと同等の品質となるようなデジタル画像データの保存方法の提案。  【解決手段】本発明では、現像済みの写真フィルムの写真画像をスキャンして写真画像に基づいたスキャンＲＡＷデータを出力するスキャナ２と、スキャナから出力されたスキャンＲＡＷデータを、交換可能な記憶媒体に書き込むスキャンＲＡＷデータ書込み手段３、６を備えた。また、スキャナから出力されたスキャンＲＡＷデータを、よりデータ量の少ない保存データに変換する変換手段と、保存データを、交換可能な記憶媒体に書き込む保存データ書込み手段とを備え、焼き増し時には、スキャンＲＡＷデータでも保存データでも選択できるようにした。【選択図】      図３
2005286730.tif 000002
【特許請求の範囲】
【請求項１】
現像済みの写真フィルムの写真画像をスキャンして写真画像に基づいたスキャンＲＡＷデータを出力するスキャナと、
スキャナから出力されたスキャンＲＡＷデータを、繰り返し利用可能な形態で記憶保持する保持手段と
を備えたことを特徴とする写真フィルム処理装置。
【請求項２】
スキャナから出力されたスキャンＲＡＷデータを、交換可能な記憶媒体に書き込むスキャンＲＡＷデータ書込み手段を備えたことを特徴とする請求項１に記載の写真フィルム処理装置。
【請求項３】
スキャナから出力されたスキャンＲＡＷデータを、よりデータ量の少ない保存データに変換する変換手段と、
保存データを、交換可能な記憶媒体に書き込む保存データ書込み手段と
を備えたことを特徴とする請求項１または２の何れかに記載の写真フィルム処理装置。
【発明の詳細な説明】
【技術分野】
【０００１】
本発明は、写真フィルムやフラッシュメモリ等の記録媒体から取り込んだ写真画像データを保存する技術に関するものである。
【背景技術】
【０００２】
デジタル写真処理装置は、写真フィルム等に記録されたアナログ画像データを、スキャンしてデジタル画像データに変換する機能を備えており、フラッシュメモリ等に記録されたデジタル画像データと、併せて取り扱うことが可能である。
そのため、画像データを出力・保存する媒体としては、従来の紙媒体以外に、ＣＤ−Ｒやジュラッシュメモリ等の記憶媒体にデジタル画像データとして出力・保存することが行われるようになった。そのために、ＣＤ−Ｒ等の記憶媒体にデジタル画像データとして出力・保存する機能を備えたものが使用されるようになった。（例えば、特許文献１参照）
【０００３】
【特許文献１】特開２００２−３３３６８０号公報
【発明の開示】
【発明が解決しようとする課題】
【０００４】
ところが、上述したような従来のデジタル写真処理装置においては、ＣＤ−Ｒ等の記憶媒体に出力・保存するデジタル画像データの形式は、非可逆的な画像圧縮形式であるＪＰＥＧ形式や、ビット数が限定されているＢＭＰ形式（１、４、８、２４ｂｉｔ。）であるため、写真フィルムをスキャンして得たスキャンＲＡＷデータ（例えば１２ビット。）の全ての情報が漏れなく、無駄なく出力・保存される訳ではなかった。
従って、写真フィルムをスキャンして得たスキャンＲＡＷデータから直接出力した、所謂同時プリントに比較すると、記憶媒体に一旦保存したデジタル画像データをプリントした焼き増しプリントは若干品質が劣るという問題があった。
特に、職業的写真撮影家や芸術写真撮影家等は、高度な再現性を要求するため、従来の保存方法では対応できないという問題があった。
なお、同時プリントに利用されたスキャンＲＡＷデータは、同時プリントと保存データの作成に利用された後は削除され、焼き増し等に再利用することはできなかった。
【０００５】
そこで、本発明は、保存したデジタル画像データからの焼き増しプリントが、写真フィルムをスキャンして直接出力したプリントと同等の品質となるようなデジタル画像データの保存方法の提案を目的としてなされたものである。
【課題を解決するための手段】
【０００６】
本発明にかかる写真フィルム処理装置の請求項１においては、
現像済みの写真フィルムの写真画像をスキャンして写真画像に基づいたスキャンＲＡＷデータを出力するスキャナと、
スキャナから出力されたスキャンＲＡＷデータを、繰り返し利用可能な形態で記憶保持する保持手段とを備えるという手段を講じた。
なお、「繰り返し利用可能な形態で記憶保持する」とは、焼き増し時点において、記憶保持されたスキャンＲＡＷデータを再度利用して焼き増しプリントを得ることを、繰り返すことが可能な状態で、スキャンＲＡＷデータを記憶保持することを指している。
請求項２においては、
スキャナから出力されたスキャンＲＡＷデータを、交換可能な記憶媒体に書き込むスキャンＲＡＷデータ書込み手段を備えた。
請求項３においては、
スキャナから出力されたスキャンＲＡＷデータを、よりデータ量の少ない保存データに変換する変換手段と、
保存データを、交換可能な記憶媒体に書き込む保存データ書込み手段と
を備えた。
【発明の効果】
【０００７】
請求項１の発明によれば、
現像済みの写真フィルムの写真画像をスキャンして写真画像に基づいたスキャンＲＡＷデータを出力するスキャナと、
スキャナから出力されたスキャンＲＡＷデータを、繰り返し利用可能な形態で記憶保持する保持手段とを備えたので、焼き増しプリントが要求された場合には、前記保持手段に記憶保持されているスキャンＲＡＷデータを利用して、同時プリントと同じ品質の焼き増しプリントを得ることができる。
請求項２の発明によれば、
スキャナから出力されたスキャンＲＡＷデータを、交換可能な記憶媒体に書き込むスキャンＲＡＷデータ書込み手段を備えたので、利用顧客毎にスキャンＲＡＷデータが書き込まれた記憶媒体を保管、もしくは提供することができる。従って、焼き増ししたい利用顧客のスキャンＲＡＷデータが書き込まれた記憶媒体を利用して、同時プリントと同じ品質の焼き増しプリントを得ることができる。
請求項３の発明によれば、
スキャナから出力されたスキャンＲＡＷデータを、よりデータ量の少ない保存データに変換する変換手段と、
保存データを、交換可能な記憶媒体に書き込む保存データ書込み手段と
を備えているので、焼き増ししたい利用顧客のスキャンＲＡＷデータもしくは変換された保存データを利用して、同時プリントと同じ品質の焼き増しプリントもしくは簡便な焼き増しプリントを得ることができる。
【発明を実施するための最良の形態】
【０００８】
以下に、本発明にかかる写真フィルム処理装置を、その実施の形態を示した図面に基づいて詳細に説明する。
【０００９】
図１において、
１は写真フィルム処理装置であり、この写真フィルム処理装置１は、写真フィルムをスキャンするスキャナ部２と、各種記憶媒体の読み書きを行なうメディア入出力部３と、キーボード等を備えた操作部４と、種々の情報を表示するディスプレイ部５と、以上の各部を統合して制御する制御部６とを備え、全体としてデスク状に構成されている。
写真フィルムのコマ画像は、スキャナ部２で読み込まれてデジタルデータに変換され、必要に応じて処理されてディスプレイ部５に表示される。操作部４を介して補正処理等を施し、メディア入出力部３から所望の記憶媒体に出力される。また、必要に応じて、図示しない露光装置や現像装置から構成されるプリント装置等に伝送されてプリント出力される。
【００１０】
（スキャナ部２の詳細構成）
図２に示したように、
スキャナ部２の要部を構成するフィルムキャリア21の下面には光源部22が配設され、上面には透過光読み取り部23が配設されている。
前記光源部22は、赤色光および赤外光を発光する発光ダイオード群が配設された第１のＬＥＤ基板24と、青色光を発光する発光ダイオード群と緑色光を発光する発光ダイオード群とが配設された第２のＬＥＤ基板25と、前記第１、第２のＬＥＤ基板の各発光ダイオードから発光される各波長の光を同一のライン状の光束に近い状態に整えるハーフミラーおよびレンズ群からなる光供給部26とを備えている。
前記光源部22からの光はこのようにして、ほぼ主走査方向にライン状に整えられて、フィルムキャリア21に形成されたスキャニングゲートＧに供給される。
【００１１】
前記透過光読み取り部23は、フィルムキャリア21に形成されたスキャニングゲートを通過して写真フィルムＦを透過した前記光源部22からの光を集光するレンズ群27と、レンズ群27によって集光された透過光を受光して、デジタル画像データに光電変換するためのラインセンサ部28とを備えている。このラインセンサ部28は、透過光のＢＧＲ光成分をハーフミラーで直角に反射させて受光するカラーラインＣＣＤ281と、透過光の赤外光成分を前記ハーフミラーを通して受光するＩＲ−ＣＣＤ282とを備えている。受光された赤外光成分は、写真フィルムの疵の検出および補正処理に利用される。
前記ラインセンサ部28のカラーラインＣＣＤ281は、主走査方向にライン状に配列され、当該搬送路の全幅に相当する領域、即ち、読み取り対象とする写真フィルムＦの全幅をスキャンし得るように構成されている。
また、前記スキャニングゲートを通過してフィルムキャリア21から排出される写真フィルムは必要に応じて巻取りユニット29にて一旦巻き取ることができる。
なお、前記スキャナ部２は特許請求の範囲に記載されたスキャナに対応する構成である。  このようにして、前記スキャナ部２からは１２ｂｉｔのスキャンＲＡＷデータが出力されるのである。
【００１２】
以上のようにして、スキャナ部２から取り込んだスキャンＲＡＷデータを使用して、同時プリント処理が行われる。
なお、このとき同時プリントに先立って、必要に応じてスキャンＲＡＷデータに対して補正処理が施される場合がある。この場合には、施された補正処理の内容を示す補正データ（例えば、明るさを＋１補正した等。）が生成され、前記スキャンＲＡＷデータと対応させて、ハードディスク等の記憶手段に一旦仮に保存される。
そして、スキャンＲＡＷデータと補正データとに基づいて生成されたプリント画像が、図示しない露光装置において印画紙へ露光され、図示しない現像装置にて現像処理されて、写真画像のプリントが順次得られるのである。
【００１３】
以下においては、本発明の特徴である画像データの保存方法を説明する。
図３は、前記写真フィルム処理装置の要部（本発明の特徴部分）のブロック図である。
スキャナ部２から出力されるスキャンＲＡＷデータは、制御部６に入力され、図４に示したフローチャートの手順に従い、メディア入出力部３によってＣＤ−Ｒ等の記憶媒体Ｍに書き込まれる。
前記制御部６は制御プログラムによって制御されることによって、
スキャナから出力されたスキャンＲＡＷデータを、必要に応じて施された補正内容を示す補正データと対応させて記憶媒体に書き込むスキャンＲＡＷデータ書込み手段をメディア入出力部３と協働して実現し、
スキャナから出力されたスキャンＲＡＷデータを、よりデータ量の少ない保存データに変換する変換手段を実現し、
前記保存データを記憶媒体に書き込む保存データ書込み手段をメディア入出力部３と協働して実現するように構成されている。
【００１４】
図４のフローチャートにおいて、
ステップＳ１においては、スキャナ部２に現像済みの写真フィルムをセットすると、スキャンが開始される。ステップＳ２においては、前記写真フィルムをスキャンしてスキャンＲＡＷデータがスキャナ部２から制御部６へ順次伝送される。
ステップＳ３においては、制御部６のハードディスクにスキャンＲＡＷデータが仮に保存される。このとき、同時プリント等の処理のために必要に応じて施された補正内容を示す補正データが生成された場合には、その補正データも前記スキャンＲＡＷデータと１対１に対応させて仮に保存される。
ステップＳ４においては、画像データを記憶媒体に書き込む形式の選択が要求される。ステップＳ５においては、操作者がＢＭＰ形式を選択すると、ハードディスクに保存されたスキャンＲＡＷデータからＢＭＰ形式への変換処理が行われ、変換後のデータはハードディスクの出力フォルダ（ハードディスク等の所定の領域。）に仮に保存される。また、操作者がＪＰＥＧ形式を選択すると、ハードディスクに保存されたスキャンＲＡＷデータからＪＰＥＧ形式への変換処理が行われ、変換後のデータはハードディスクの出力フォルダに仮に保存される。また、操作者がＲＡＷ形式を選択すると、ハードディスクに保存されたスキャンＲＡＷデータは変換されずに、そのまま、前記補正データと共に出力フォルダに仮に保存される。全ての形式が選択されると、ＢＭＰ形式のデータと、ＪＰＥＧ形式のデータと、スキャンＲＡＷデータと、補正データとが出力フォルダに仮に保存される。
【００１５】
ステップＳ６においては、ＣＤ−Ｒドライブ装置等の記憶媒体のドライブ装置へ、ＣＤ−Ｒ等の取り外し可能な記憶媒体をセットすることを要求し、適正なメディアがセットされるとステップＳ７へ進む。
ステップＳ７においては、前記出力フォルダに保存された書き込むべきデータの総量を計算し、セットされた記憶媒体の書き込み可能な領域の大きさと比較して、書き込み可能な領域が不足する場合には、その旨警告してから、ステップＳ８へ進む。
ステップＳ８においては、ステップＳ５において指定された書き込み形式のデータが順次記憶媒体に書き込まれる。必要に応じてデータのベリファイが行われて書き込みデータにエラーが無いことが確認される。
スキャンＲＡＷデータを保存する場合には、データの総量が大きくなるため、記憶媒体の交換を要求される場合が多くなる。
【００１６】
このとき、記憶媒体に書き込まれるデータの形式は、例えば、コマ番号がｎｎｎｎ番の画像データは、スキャンＲＡＷデータは［ｎｎｎｎ．ＲＡＷ］、その補正データは［ｎｎｎｎ．ＰＪＤ］、ＢＭＰ形式のデータは［ｎｎｎｎ．ＢＭＰ］、ＪＰＥＧ形式のデータは［ｎｎｎｎ．ＪＰＧ］というファイル名で書き込まれる。このように、同じコマの画像に関連するデータは、全て対応させて書き込まれているのである。
なお、このようなデータが書き込まれる交換可能な記憶媒体としては、ＣＤ−Ｒ、ＣＤ−ＲＷ、ＤＶＤ−ＲＡＭや、フラッシュメモリ等の種々の媒体を含んでおり、ネットワークを経由して書き込み可能な他のパソコンの記憶媒体も含んでいる。
【００１７】
続いて、以上のようにして、記憶媒体に書き込んで保存したスキャンＲＡＷデータを再利用して焼き増しプリントを得る場合を、図５のフローチャートに沿って説明する。
まず、ステップＳ５１において、スキャンＲＡＷデータが書き込まれた記憶媒体を、対応するドライブ装置にセットする。
そして、ステップＳ５２において、前記記憶媒体から、スキャンＲＡＷデータと補正データとを読みだして、ステップＳ５３において、前記スキャンＲＡＷデータに対して、前記補正データで示された補正処理を施してプリントデータを生成する。
ステップＳ５４においては、このようにして生成したプリントデータを露光装置へ伝送して印画紙等の感光材料へ露光し、その感光材料を現像装置で現像処理して、焼き増しプリントを得るのである。
このようにして得られた焼き増しプリントは、同時プリントのときと同じスキャンＲＡＷデータを使い、同じ補正処理を施したものであるので、同時プリントと同じ品質のものが得られるのである。
なお、スキャンＲＡＷデータとは、スキャンして得られたデータで、種々の非可逆的な圧縮処理等の変換処理が行われていないデータを指しており、可逆的な圧縮処理が行われたデータも含むものとする。
【産業上の利用可能性】
【００１８】
本発明は、種々のアナログ画像データをデジタルデータに変換して保存する技術に利用することが可能である。
【図面の簡単な説明】
【００１９】
【図１】本発明にかかる写真フィルム処理装置の実施の形態を備えた写真フィルム処理装置の構成図である。
【図２】前記写真フィルム処理装置の側面断面図である。
【図３】前記写真フィルム処理装置の要部のブロック図である。
【図４】前記写真フィルム処理装置の要部のデータ保存時の動作を説明するフローチャートである。
【図５】前記写真フィルム処理装置の要部の焼き増しプリント時の動作を説明するフローチャートである。
【符号の説明】
【００２０】
Ｆ  写真フィルム
１  写真フィルム処理装置
２  スキャナ部、スキャナ
３  メディア入出力部
６  制御部、保持手段、変換手段
３、６  スキャンＲＡＷデータ書込み手段、保存データ書込み手段
Ｍ  交換可能な記憶媒体
【図１】
2005286730.tif 000003
【図２】
2005286730.tif 000004
【図３】
2005286730.tif 000005
【図４】
2005286730.tif 000006
【図５】
2005286730.tif 000007